(57)【要約】【課題】遊技盤面において入賞が集中して発生した場合であっても、払出個数データを主制御部の払出個数データ記憶部で保持し、賞品球の払出し制御を安定して確実にする。【解決手段】主制御部に、複数の入賞検出スイッチに対応して払出個数データを記憶した払出個数設定用テーブルと、払出個数データを順次保持する払出個数データ記憶部とを設ける。払出個数データ記憶部は複数の記憶領域を有し、最初の記憶領域には払出個数データの記憶件数が記憶される。主制御部は、入賞検出スイッチの入賞検知信号により賞品球の払出数の別に対応した入賞検知を行い、払出個数設定用テーブルから入賞検知した入賞検出スイッチの別に対応する払出個数データを読み出して主制御部の払出個数データ記憶部の空き領域に順次記憶すると共に最初の記憶領域に払出個数データの記憶件数を記憶し、払出個数データを払出し制御部に出力すると、記憶件数から出力した分を減じる。【選択図】図３２
2008188462.tif 000002
【特許請求の範囲】
【請求項１】
主制御部が、払出個数データを払出し制御部に出力し、前記払出個数データに応じて前記払出し制御部が払出し可動部を介して払出制御を行って賞品球の払出しを行う一方、貸出しボタンへの操作に対応してカードユニットから送られた所定個数の貸球データに基づいて、前記払出し制御部が前記払出し可動部を介して払出制御を行って貸球の払出しを行う構成とされ、且つ前記払出し可動部から払い出された賞品球及び貸球の払出し経路に、該払出し経路におけるパチンコ球の満タン状態を検出する満タン検出器が設けられると共に前記主制御部に前記満タン検出器が連絡され、パチンコ球を遊技盤面に向けて発射する発射装置が前記払出し制御部に連絡され、前記払出し制御部が、該払出し制御部に前記カードユニットが接続されていることを判別するレディ信号が入力されない場合、または前記主制御部が前記満タン検出器の作動信号に応じて出力する発射停止指令が入力された場合にのみ、前記発射装置の作動を停止するパチンコ遊技機において、
複数の入賞口に対して定められた賞品球の払出数の別に対応して複数の入賞検出スイッチを遊技盤に設け、
前記主制御部に、前記複数の入賞検出スイッチに対応して払出個数データを記憶した払出個数設定用テーブルと、前記払出個数データを順次保持する払出個数データ記憶部とを設け、
前記主制御部に設けられている払出個数データ記憶部は複数の記憶領域を有し、前記複数の記憶領域の最初の記憶領域には払出個数データの記憶件数が記憶され、
前記主制御部は、前記入賞検出スイッチの入賞検知信号により賞品球の払出数の別に対応した入賞検知を行い、前記払出個数設定用テーブルから入賞検知した入賞検出スイッチの別に対応する払出個数データを読み出して前記主制御部の払出個数データ記憶部の空き領域に順次記憶すると共に前記最初の記憶領域に払出個数データの記憶件数を記憶し、前記払出個数データを前記払出し制御部に出力すると、前記記憶件数から出力した分を減じる、
ことを特徴とするパチンコ遊技機。
【発明の詳細な説明】
【技術分野】
【０００１】
本発明は、払出し制御部が、主制御部から送られた払出し個数データに応じて払出し可動部を駆動制御して賞品球の払出しを行う一方、貸出しボタンへの操作に対応してカードユニットから送られた所定個数の貸球データに基づいて、前記払出し制御部が前記払出し可動部を駆動制御して貸球の払出しを行うパチンコ遊技機に関する。
【背景技術】
【０００２】
カード式のパチンコ遊技機においては、主制御部が、払出し個数データを払出し制御部に出力し、払出し個数データに応じて払出し制御部が払出し可動部を駆動制御して賞品球の払出しを行う一方、貸出しボタンへの操作に対応してカードユニットから送られた所定個数の貸球データに基づいて、払出し制御部が前記払出し可動部を駆動制御して貸球の払出しを行っている。
【０００３】
遊技盤面において入賞が集中して発生した場合、主制御部は払出し制御部に対して入賞に対応する払出数の賞品球の払出しを指令するが、払出し制御部は、払出し可動部が賞品球の払出し中は、今回指令された払出数の賞品球の払出しを払出し可動部に対して指令することができない。従って、主制御部は、払出し可動部が払い出しを完了するまで待って、再度、払出し制御部に対して入賞に対応する払出数の賞品球の払出しを指令する。このため、遊技盤面において入賞が集中して発生した場合には、賞品球の払出し制御に遅れが生じたり、主制御部が指令した払出し数と、払出し制御部が払出し可動部を制御して払い出す払出数とが一致しない場合がある。
【発明の開示】
【発明が解決しようとする課題】
【０００４】
本発明のパチンコ遊技機は、遊技盤面において入賞が集中して発生した場合であっても、賞品球の払出し制御が安定して確実に実現できるようにすることを目的とし、さらに、払出し制御部にカードユニットが接続されていない場合、または主制御部から満タン検出器の作動信号に応じて発射停止指令が出力された場合にのみ、発射装置の作動を停止制御できるようにすることを目的とする。
【課題を解決するための手段】
【０００５】
請求項１に係るパチンコ遊技機は、主制御部が、払出個数データを払出し制御部に出力し、前記払出個数データに応じて前記払出し制御部が払出し可動部を介して払出制御を行って賞品球の払出しを行う一方、貸出しボタンへの操作に対応してカードユニットから送られた所定個数の貸球データに基づいて、前記払出し制御部が前記払出し可動部を介して払出制御を行って貸球の払出しを行う構成とされ、且つ前記払出し可動部から払い出された賞品球及び貸球の払出し経路に、該払出し経路におけるパチンコ球の満タン状態を検出する満タン検出器が設けられると共に前記主制御部に前記満タン検出器が連絡され、パチンコ球を遊技盤面に向けて発射する発射装置が前記払出し制御部に連絡され、前記払出し制御部が、該払出し制御部に前記カードユニットが接続されていることを判別するレディ信号が入力されない場合、または前記主制御部が前記満タン検出器の作動信号に応じて出力する発射停止指令が入力された場合にのみ、前記発射装置の作動を停止するものであって、上記課題を解決するために、複数の入賞口に対して定められた賞品球の払出数の別に対応して複数の入賞検出スイッチを遊技盤に設け、前記主制御部に、前記複数の入賞検出スイッチに対応して払出個数データを記憶した払出個数設定用テーブルと、前記払出個数データを順次保持する払出個数データ記憶部とを設け、前記主制御部に設けられている払出個数データ記憶部は複数の記憶領域を有し、前記複数の記憶領域の最初の記憶領域には払出個数データの記憶件数が記憶され、前記主制御部は、前記入賞検出スイッチの入賞検知信号により賞品球の払出数の別に対応した入賞検知を行い、前記払出個数設定用テーブルから入賞検知した入賞検出スイッチの別に対応する払出個数データを読み出して前記主制御部の払出個数データ記憶部の空き領域に順次記憶すると共に前記最初の記憶領域に払出個数データの記憶件数を記憶し、前記払出個数データを前記払出し制御部に出力すると、前記記憶件数から出力した分を減じることを特徴とする。
【発明の効果】
【０００６】
請求項１に係るパチンコ遊技機によれば、遊技盤面において入賞が発生すると、賞品球の払出数の別に対応して遊技盤に設けた入賞検出スイッチの入賞検知に応じて、主制御部が払出個数設定テーブルから入賞検知した入賞検出スイッチに対応する払出個数データを読み出し、読み出した払出個数データを設定個数データ記憶部に順次記憶して保持し、主制御部から払出し制御部に払出個数データを順次送信し、払出個数データを払出し制御部に出力すると、前記記憶件数から出力した分を減じるので、遊技盤面において入賞が集中して発生した場合であっても、一時的に集中して発生する払出個数データを主制御部の払出個数データ記憶部で入賞が検知された順に保持することができ、賞品球の払出し制御が安定して確実に実現できる。さらに、払出し制御部にカードユニットが接続されていることを判別するレディ信号が入力されない場合、または主制御部が満タン検出器の作動信号に応じて出力する発射停止指令が払出し制御部に入力された場合にのみ、発射装置の作動を停止制御することができる。
【発明を実施するための最良の形態】
【０００７】
以下、本発明の実施の形態を図面を参照して説明する。図１は、実施形態のパチンコ遊技機に配備された遊技盤面の正面図である。図１に示すように、遊技盤面１の中央上部には振分入賞装置２が配設され、振分入賞装置２の下方には図柄表示ユニット３が配設され、該図柄表示ユニット３の中央には図柄表示装置４が組み付けられている。図１に示すように図柄表示装置４の表示面は、左図柄表示部３３と右図柄表示部３４との２つに区分されている。
【０００８】
また、遊技盤面１の左肩部分にはゲート５（後述の可変入賞口１２の拡開に関する作動口）が設けられ、図柄表示ユニット３の左側下方の遊技盤面１の左袖部分にはチャッカにより構成された左袖下入賞口６が配設され、左袖下入賞口６の下方の遊技盤面１の左落し部分にはチャッカにより構成された左落し入賞口７が配設されている。
【０００９】
遊技盤面１の右肩部分には第１入賞装置８が配設され、図柄表示ユニット３の右側下方の遊技盤面１の右袖部分にはチャッカにより構成された右袖下入賞口９が配設され、右袖下入賞口９の下方の遊技盤面１の右落し部分には右落し入賞口１０が配設されている。さらに、遊技盤面１の中央下部には特別遊技を行わせるための第２入賞装置１１が配設されている。
【００１０】
次に、遊技盤面１に配設されている振分入賞装置２、第１入賞装置８及び第２入賞装置１１について順次説明する。図２は振分入賞装置２の正面図であり、図３は振分入賞装置２の側面図であり、図４は振分入賞装置２の斜視図である。振分入賞装置２は、概略として、パチンコ球が入賞しにくい閉鎖状態とパチンコ球が入賞しやすい拡開状態とに可変可能とされている可変入賞口１２と、可変入賞口１２を通ったパチンコ球が入球する上部入球部１３と、上部入球部１３に入球したパチンコ球が入球可能である３つの入球口、即ち、左上通過口１４、右上通過口１５及び図柄作動口１６と、図柄作動口１６のみを通して上部入球部１３と連通した下部入球部１７と、下部入球部１７において図柄作動口１６の直下に設けられた球受回転体１８と、球受回転体１８の回転方向（反時計回りまたは時計回り）に対応してそれぞれ設けられた左方の特別装置作動口１９及び右下通過口２０とを備えている。
【００１１】
振分入賞装置２は、遊技盤面に装着される取付基板２１を備え、取付基板２１の上部前面の左右に、一対の開閉翼体２２，２２が互いに間隔を開けて回動自在にそれぞれ軸支され、開閉翼体２２，２２の間により振分入賞装置２の頂部に可変入賞口１２が形成されている。なお、図３に示すように、取付基板２１の上部裏面には、開閉翼体２２，２２を拡開・閉鎖動作させるための作動杆２３が水平方向に設けた軸２４に回動自在に設けられており、該作動杆２３の先端が開閉翼体２２，２２の下部に係合されている。なお、該作動杆２３の後端は、図３及び図４においては図示していない開放ソレノイドで動作するアクチュエータに連結されている。可変入賞口１２は常態においてパチンコ球の入球しにくい閉鎖状態とされており、パチンコ球が遊技盤面１のゲート５を通過した場合に、パチンコ球の入球しやすい拡開状態に変換する。
【００１２】
図２乃至図４に示すように、取付基板２１の前面には、その上部から前面下部に亘って透視可能な材料により構成された前面カバー２５が装着されている。前面カバー２５は、取付基板２１の前面を覆うカバー部２６と、カバー部２６の裏面に形成された周壁部２７を有し、周壁部２７の上部には開閉翼体２２，２２の間に形成された可変入賞口１２に対応して落下口２８が形成されている。
【００１３】
前面カバー２５の内側の空間は、前面カバー２５の周壁部２７によって外部の遊技盤面１に対して隔てられており、周壁部２７の上部に設けられた落下口２８を通してのみ前面カバー２５の内部にパチンコ球が入球可能である。
【００１４】
また、前面カバー２５の内側の空間は、周壁部２７の左右から中央に向けてそれぞれ伸び出した仕切部２９により上下に仕切られており、周壁部２７により囲まれた空間のうちの仕切部２９の上方側の空間により上部入球部１３が形成されている。上部入球部１３の中央には、落下口２８の直下に向けて前方に向けて突出した振分突起３０が取付基板２１と一体に設けられ（図２乃至図３参照）、上部入球部１３の下部左側には左上通過口１４が取付基板２１に設けられ、上部入球部１３の下部右側には右上通過口１５が取付基板２１に設けられ、振分突起３０の下方となる上部入球部１３の下部中央には、図１の図柄表示装置４における図柄変動を開始させる図柄作動口１６が仕切部２９の中央に設けられている。なお、図柄作動口１６には、図柄作動口１６を通過するパチンコ球を検出する図柄作動口通過検出スイッチＳＷ１が嵌め込まれている（図２及び図３参照）。
【００１５】
一方、周壁部２７により囲まれた空間のうちの仕切部２９の下方側の空間により下部入球部１７が形成されている。下部入球部１７は図柄作動口１６のみを通して上部入球部１３と連通する。下部入球部１７の中央には、図柄作動口１６の直下に球受回転体１８が設けられている。該球受回転体１８は、図柄表示装置４の図柄変動の結果に応じて、即ち、図柄変動の結果に関わる当りはずれの別に応じて、図３に示す球受回転体駆動モータＭ１により、当りの場合は図２において反時計回りに回転する一方、はずれの場合は図２において時計回りに回転する。
【００１６】
図２に示すように、球受回転体１８は、回転中心に対して偏心位置となる周縁の一部において前方に向けて突出した円弧形状に形成されてなり、径方向の回転中心に向いた円弧凹状の球受部３１と、径方向の外側に向いた円弧周面からなる球支持部３２とを有する。
【００１７】
図２に示すように、球受回転体１８は、常態においてはその円弧周面からなる球支持部３２を上方に向けた姿勢で図柄作動口１６の下方に近接した初期位置に停止しており、この初期位置において、図柄作動口１６にパチンコ球が入球した場合、このパチンコ球を球支持部３２によって下方から支持し、図柄作動口１６内にパチンコ球を停留する。
【００１８】
下部入球部１７の下部左側には特別装置作動口１９が取付基板２１に設けられ、下部入球部１７の下部右側には右下通過口２０が取付基板２１に設けられ、球受回転体１８の直下となる周壁部２７の下部中央が上方に向けて山形形状に形成されている。
【００１９】
ここで、振分入賞装置２の作用について説明する。左右一対の開閉翼体２２，２２間に形成された可変入賞口１２にパチンコ球が入賞すると、このパチンコ球は下方に流下し、前面カバー２５の周壁部２７の上部に形成された落下口２８を通過して上部入球部１３に入る。上部入球部１３に入ったパチンコ球は、落下途中で振分突起３０に衝突する場合にはその流下方向を変更された後に、また、落下途中で振分突起３０に衝突しない場合には直接に、周壁部２７あるいは仕切部２９に衝突するなどし、最終的に、上述した左上通過口１４、右上通過口１５及び図柄作動口１６のうちの何れか１つに入球する。
【００２０】
パチンコ球が左上通過口１４または右上通過口１５に入球した場合には、遊技盤裏面に誘導されて通常の入賞球（この場合には６個払出し口への入賞球）として処理される。
【００２１】
また、パチンコ球が図柄作動口１６に入球した場合には、前述したように初期位置に停止している球受回転体１８の球支持部３２によって図柄作動口１６に停留される。なお、図柄作動口１６に停留されたパチンコ球は、図柄作動口通過検出スイッチＳＷ１によって検出され、後述のメイン制御装置１００によって図柄表示装置４において図柄変動が開始される。
【００２２】
そして、図柄変動の停止結果が後述する当りの場合は、球受回転体駆動モータＭ１により、図２において反時計回りに球受回転体１８が回転する一方、はずれの場合は図２において時計回りに球受回転体１８が回転する。
【００２３】
球受回転体１８が反時計回りに回転した場合、初期位置から１８０度回転した時点では球受回転体１８の球支持部３２が図柄作動口１６に近接した位置から完全に退避すると共に球受部３１が図柄作動口１６を直上に臨む位置に移動することとなり、図柄作動口１６に停留されていたパチンコ球が下部入球部１７に落下して球受部３１に受け止められる。
【００２４】
さらに、球受回転体１８が反時計回りに初期位置から略２７０度回転した時点では、球受部３１が左方に向く姿勢となることにより、受け止めたパチンコ球を左方に向けて解放する。球受部３１から左方に向けて解放されたパチンコ球は、下部入球部１７の下部左側に設けられた特別装置作動口１９に入球する。特別装置作動口１９に入球した場合には、遊技盤裏面に誘導されて特定入賞球（この場合には、６個払出し口への入賞球としてのほかにメイン制御装置１００により特別装置を作動させる）として処理される。
【００２５】
また、球受回転体１８が時計回りに回転した場合においても、初期位置から１８０度回転した時点では球受回転体１８の球支持部３２が図柄作動口１６に近接した位置から完全に退避すると共に球受部３１が図柄作動口１６を直上に臨む位置に移動することとなり、図柄作動口１６に停留されていたパチンコ球が下部入球部１７に落下して球受部３１に受け止められる。
【００２６】
さらに、球受回転体１８が時計回りに初期位置から略２７０度回転した時点では、球受部３１が右方に向く姿勢となることにより、受け止めたパチンコ球を右方に向けて解放する。球受部３１から右方に向けて解放されたパチンコ球は、下部入球部１７の下部右側に設けられた右下通過口２０に入球する。右下通過口２０にパチンコ球が入球した場合には、遊技盤裏面に誘導されて通常の入賞球（この場合には、６個払出し口への入賞球）として処理される。
【００２７】
図５は第１入賞装置８の斜視図である。第１入賞装置８は、装置筐体３５の前面に遊技盤面１に装着される取付基板３６が一体に形成され、取付基板３６の前面には透視可能な材料からなる円筒状の前面カバー３７が装着されている。前面カバー３７の上部には入賞口３８が開設されている。
【００２８】
前面カバー３７の内部は入球空間に形成されており、該入球空間には常時時計回りに１分間に６回転する球受回転体３９が設けられている。球受回転体３９は円柱形状をなしており、前面カバー３７に設けられた入賞口３８の直下に対応する周面の１箇所には球受凹部４０が形成されている。また、前記の入球空間における右側部には球出口４１が取付基板３６に設けられている。また、取付基板３６の裏面には球受回転体３９を回転駆動する回転体駆動モータＭ２が配設されている。
【００２９】
入賞口３８に入ったパチンコ球は、入賞口３８に保持されて球受回転体３９の周面に載った状態となり、回転中の球受回転体３９の周面に設けた球受凹部４０が入賞口３８に一致した時に該球受凹部４０に入り、球受回転体３９の時計回りの回転に伴って球出口４１に運ばれる。
【００３０】
図６は第２入賞装置１１の正面図であり、図７は第２入賞装置１１の裏面図であり、図８は第２入賞装置１１の斜視図である。第２入賞装置１１は、開放ソレノイドＳＯＬ２により開閉される可動扉４２を備えたアタッカ形式の入賞装置により構成されている。
【００３１】
装置筐体４３の前面に遊技盤面１に装着される取付基板４４が一体に形成され、取付基板４４の前面の左右側部には互いに向き合う一対の突片４５，４５が上下方向に沿って設けられ、一対の突片４５，４５の間となる装置筐体４３の中央には開口からなる大入賞口４６が設けられ、大入賞口４６の下縁に合わせて可動扉４２が配置されると共に、該可動扉４２の両側部の下部が装置筐体４３に回動自在に軸支されている。なお、図６及び図８は可動扉４２が開放した状態を示している。
【００３２】
また、取付基板４４の裏面となる装置筐体４３の後部には、大入賞口４６を通って入ってきたパチンコ球を遊技盤裏面に設けられた後述の球誘導樋に誘導する球誘導枠４７が装置筐体４３に対して着脱可能に取り付けられ、該球誘導枠４７の中央部には上方に向けて僅かに張り上がった振分片４８が水平方向に設けられ（図６参照）、球誘導枠４７の下部中央と下部左側にはそれぞれ球出口４９，５０が形成されている（図６及び図７参照）。さらに、図７に示すように球誘導枠４７の後部右側には、可動扉４２を開閉する開放ソレノイドＳＯＬ２がそのプランジャ５１を下方に向けて取り付けられ、プランジャ５１の下端には可動扉４２を開閉するための作動杆５２が連結されている。
【００３３】
第２入賞装置１１は、開放ソレノイドＳＯＬ２が励磁すると、そのプランジャ５１が上方に吸引されて移動し、プランジャ５１に連結した作動杆５２が作用して可動扉４２が前方に向けて回動し、大入賞口４６が開放する。開放ソレノイドＳＯＬ２の励磁が解かれると、そのプランジャ５１への吸引力が消滅することによりプランジャ５１が戻しバネ５３の復帰力で下方に移動し、プランジャ５１に連結した作動杆５２が作用して可動扉４２が取付基板４４に向けて回動し、大入賞口４６が閉鎖する。
【００３４】
なお、図１において、本実施形態のパチンコ遊技機では、振分入賞装置２の内部に設けられた左上通過口１４、右上通過口１５、右下通過口２０、左袖下入賞口６、右袖下入賞口９、左落し入賞口７、右落し入賞口１０は、普通入賞口に設定されている。また、ゲート５はパチンコ球の通過に対して賞品球の払い出しは行われないが、振分入賞装置２の可変入賞口１２を拡開させる作動口に設定されている。振分入賞装置２の内部の特別装置作動口１９にパチンコ球が入ると、後述のメイン制御装置による特別装置が作動する。特別装置の作動中に、第１入賞装置８の入賞口３８にパチンコ球が入ると、第２入賞装置１１が作動し、大入賞口４６が開放する。
【００３５】
なお、実施形態のパチンコ遊技機では、上記の左袖下入賞口６、右袖下入賞口９、振分入賞装置２の可変入賞口１２及び第１入賞装置８の入賞口３８は、入賞に対する賞品球の払出個数が６個に設定されている。また、左落し入賞口７、右落し入賞口１０及び第２入賞装置１１の大入賞口４６は入賞に対する賞品球の払出個数が１３個に設定されている。
【００３６】
次に、遊技盤面１に配備された各表示ランプ並びに表示ＬＥＤについて説明する。図９は各表示ランプ及び表示ＬＥＤの配置を示す遊技盤面１の正面図である。図９に示すように、遊技盤面中央に配備された図柄表示ユニット３には、図柄表示装置４の上縁中央に沿って飾りＬＥＤ５４が設けられ、図柄表示装置４の上縁の両端付近に飾りＬＥＤ５５が設けられている。また、振分入賞装置２の中央両側寄りの背後には、それぞれ飾りＬＥＤ５６が配設されている。
【００３７】
第１入賞装置８の球受回転体３９の背後には飾りＬＥＤ５７が配備されている。左落し入賞口７を構成するチャッカの背後と、右落し入賞口１０を構成するチャッカの背後とにはそれぞれ表示ランプ５８が配備されている。また、第２入賞装置１１の大入賞口４６の内部には飾りＬＥＤ５９が設けられている。
【００３８】
また、遊技盤面１の左側には左装飾ＬＥＤ装置６０が設けられる一方、遊技盤面１の右側に右装飾ＬＥＤ装置６１が設けられており、左装飾ＬＥＤ装置６０には４つの飾りＬＥＤ（Ｇ１，Ｇ３，Ｇ５，Ｇ７）が配備され、右装飾ＬＥＤ装置６１には４つの飾りＬＥＤ（Ｇ２，Ｇ４，Ｇ６，Ｇ８）が配備されている。
【００３９】
遊技盤面１の上部には、球レール６８の外側に沿って所定の間隔で複数の飾りＬＥＤ６２と飾りＬＥＤ６３とが所定間隔毎に交互に配備され、遊技盤面１の上部左隅には払出しランプ６５が配設され、遊技盤面１の上部右隅には球切れランプ６６が配備されている。また、右袖下入賞口９を構成するチャッカの前面には、遊技情報表示器６７が設けられている。該遊技情報表示器６７は、通常時においては、後述の図柄表示装置４において当り発生した時点の当り図柄を表示し、当り遊技中においては、大入賞口４６の残りの開放回数を表示する。また、遊技盤面１には、ランプ付き風車６４，６４、アウト受入口６９が配備されているが、これらの各要素については公知であるので詳細な説明を省略する。
【００４０】
次に、遊技盤裏面における各入賞口における入賞検出機構について説明する。図１０は、各種入賞検出スイッチや各種ソレノイドの配設状態を示す遊技盤の裏面図である。遊技盤の裏面には、各種入賞口に対応して球誘導樋並びに入賞検出スイッチが設けられる。
【００４１】
図１０に示すように、図１に示すゲート５に対しては、遊技盤面１上においてゲート５を通過したパチンコ球を検出するゲート通過検出スイッチＳＷ２が設けられている。
【００４２】
振分入賞装置２の装着位置の上方には、振分入賞装置２の開閉翼体２２，２２を拡開動作させることにより可変入賞口１２を拡開させるための開放ソレノイドＳＯＬ１が配設されている。該開放ソレノイドＳＯＬ１のプランジャが図３に示す作動杆２３の後端に連結されている。
【００４３】
また、振分入賞装置２の左上通過口１４（６個払出し口）に対しては球誘導樋７０が設けられ、振分入賞装置２の特別装置作動口１９（６個払出し口）に対しては球誘導樋７１が設けられている。特別装置作動口１９（６個払出し口）に対して設けられた球誘導樋７１の上部には、特別装置作動口１９に入ったパチンコ球を検出する特別装置作動口通過検出スイッチＳＷ３が配備されている。また、左上通過口１４（６個払出し口）に対して設けた球誘導樋７０の下部に左袖下入賞口６（６個払出し口）の球出口を臨ませてあり、さらに該球誘導樋７０の下端を球誘導樋７１の中途に臨ませてあり、球誘導樋７１の下部寄りには入賞検出スイッチＳＷ４が配備されている。
【００４４】
従って、振分入賞装置２の左上通過口１４（６個払出し口）、振分入賞装置２の特別装置作動口１９（６個払出し口）及び左袖下入賞口６（６個払出し口）に入賞したパチンコ球を最終的に球誘導樋７１に集め、入賞検出スイッチＳＷ４によって検出する構成としてある。なお、球誘導樋７１の下端は、入賞口に入賞したパチンコ球を集合して回収する図示しない回収樋に臨んでいる。
【００４５】
また、振分入賞装置２の右上通過口１５（６個払出し口）と右下通過口２０（６個払出し口）とに対しては球誘導樋７２が設けられ、第１入賞装置８の球出口４１（６個払出し口）に対しては球誘導樋７３が設けられている。第１入賞装置８の球出口４１に対して設けられた球誘導樋７３の中途には、第１入賞装置８の入賞口３８に入ったパチンコ球を検出するための特別入賞検出スイッチＳＷ５が設けられ、球誘導樋７３の特別入賞検出スイッチＳＷ５の配設位置の下方に右袖下入賞口９の球出口（６個払出し口）を臨ませてあり、さらに、該球誘導樋７３の下端を球誘導樋７２の中途に臨ませてあり、球誘導樋７２の下部寄りには入賞検出スイッチＳＷ６が配設されている。
【００４６】
従って、振分入賞装置２の右上通過口１５（６個払出し口）、右下通過口２０（６個払出し口）、第１入賞装置８の入賞口３８（６個払出し口）及び右袖下入賞口９に入賞したパチンコ球を最終的に球誘導樋７２に集め、入賞検出スイッチＳＷ６によって検出する構成としてある。なお、球誘導樋７２の下端は、入賞口に入賞したパチンコ球を集合して回収する図示しない回収樋に臨んでいる。
【００４７】
また、左落し入賞口７（１３個払出し口）に対しては球誘導樋７４が設けられ、該球誘導樋７４の中途には、左落し入賞口７に入賞したパチンコ球を検出する入賞検出スイッチＳＷ７が設けられている。なお、球誘導樋７４の下端は、入賞口に入賞したパチンコ球を集合して回収する図示しない回収樋に臨んでいる。
【００４８】
さらに、右落し入賞口１０（１３個払出し口）に対しては球誘導樋７５が設けられ、該球誘導樋７５の下部には、右落し入賞口１０に入賞したパチンコ球を検出する入賞検出スイッチＳＷ８が設けられている。なお、球誘導樋７５の下端は、入賞口に入賞したパチンコ球を集合して回収する図示しない回収樋に臨んでいる。
【００４９】
図７の第２入賞装置１１の球誘導枠４７に設けられた球出口４９及び球出口５０に対しては球誘導樋７６が設けられ、球誘導樋７６の末端寄りには、第２入賞装置１１の大入賞口４６（１３個払出し口）に入ったパチンコ球を検出する大入賞口入賞検出スイッチＳＷ９が設けられている。なお、球誘導樋７６の下端は入賞口に入賞したパチンコ球を集合して回収する図示しない回収樋に臨んでいる。
【００５０】
以上のように、賞品球の払出し起動のための入賞球の検出を遊技盤面に設けられた各入賞口毎または遊技盤裏面に配設された球誘導樋の別に入賞検出手段（入賞検出スイッチ）が設けられており、全ての入賞口に関して遊技盤裏面において入賞検出を行う構成としてある。
【００５１】
図１１は、本実施形態のパチンコ遊技機に配備された制御系統の要部ブロック図である。メイン制御装置１００（主制御部）は図示しないメイン制御基板に配備される。メイン制御装置１００は、パチンコ遊技全体に関わる制御を行うための処理実行手段としてのメインＣＰＵと、メインＣＰＵが実行するためのパチンコ遊技全体に関わる制御プログラムが格納されているＲＯＭと、随時読み出しおよび書き込みが可能なＲＡＭと、メインＣＰＵが周辺機器との間でデータ通信を行うための通信インタフェースとにより構成されている。なお、メイン制御装置１００の具体的な構成については図示を省略する。
【００５２】
図１１に示すように、メイン制御装置１００は、図示しない払出し制御基板に配備された払出制御装置１０１（払出し制御部）に対し、メイン制御装置１００から払出制御装置１０１に向けて一方向通信が可能に接続されている。なお、メイン制御装置１００から払出制御装置１０１に向けて送信される通信データは、払出個数データを含む賞球コマンドである。
【００５３】
図１１に示すように、メイン制御装置１００には、スイッチ入力回路７７を介して前述の各種入賞検出スイッチＳＷ１乃至ＳＷ９が接続され、各入賞検出スイッチの検出信号が同時にメイン制御装置１００に入力される。また、スイッチ入力回路７８を介して下皿に至る賞品球及び貸球の排出経路の満タン状態を検出する満タン検出器１０５と、後述の球排出装置１２８及び球排出装置１２９にパチンコ球（補充球）を供給するための球誘導樋１２２〜１２５内の球切れ状態を検出する球切れ検出器１８０ａ〜１８０ｄとが接続されている（図２３参照）。
【００５４】
また、メイン制御装置１００には、表示用ドライバ７９を介して図柄表示装置４が接続され、表示用ドライバ８０を介して前述した各表示ランプ５８、払出しランプ６５、球切れランプ６６及びランプ付き風車６４が接続され、表示用ドライバ８１を介して各種飾りＬＥＤ５４，５５，５６，５７，６２，６３，飾りＬＥＤＧ１〜Ｇ８が接続され、表示用ドライバ８２を介して遊技情報表示器６７が接続されている。
【００５５】
さらに、メイン制御装置１００には、ドライバ８３を介して振分入賞装置２の可変入賞口１２を拡開する時に作動する開放ソレノイドＳＯＬ１が接続され、ドライバ８４を介して第２入賞装置１１の可動扉４２を開放する時に作動する開放ソレノイドＳＯＬ２が接続され、ドライバ８５を介して振分入賞装置２に設けた球受回転体１８を回転するための球受回転体駆動モータＭ１接続されている。
【００５６】
また、メイン制御装置１００には、音駆動部８６を介して効果音や警報を発生するためのスピーカ８７が接続されている。図示していないが、メイン制御装置１００には電源（図示せず）やメイン制御装置１００の処理サイクルを規定するクロック回路（図示せず）が接続されている。
【００５７】
次に、図１を参照して実施形態のパチンコ遊技機の遊技内容について説明する。電源投入時、図２の図柄表示ユニット３に配備した図柄表示装置４の左図柄は「７」を停止表示し、右図柄は「３」を停止表示する。また、遊技情報表示器６７は「０」をする。さらに、回転体駆動モータＭ２が駆動して第１入賞装置８の球受回転体３９が時計回りに１分間に６回転する。
【００５８】
図１において遊技盤面１に弾発したパチンコ球が遊技盤面１の左側のゲート５を通過すると、該パチンコ球のゲート通過がゲート通過検出スイッチＳＷ２により検出される。尚、ゲート通過検出スイッチＳＷ２の検出信号はメイン制御装置１００に入力される。
【００５９】
メイン制御装置１００は、ゲート通過検出スイッチＳＷ２の検出信号を受けると、開放ソレノイドＳＯＬ１を励磁し、振分入賞装置２の開閉翼体２２，２２を左右方向に回動し、約０．５秒の間、可変入賞口１２を拡開する。なお、可変入賞口１２は常態においては開閉翼体２２，２２が閉じており、パチンコ球の入球が可能ではあるが、入球しにくい状態にあり、開閉翼体２２，２２の拡開によりパチンコ球の入球しやすい拡開状態に変換する。
【００６０】
前述したように、可変入賞口１２にパチンコ球が入賞すると、このパチンコ球は落下口２８を通過して上部入球部１３に入り、最終的に、左上通過口１４、右上通過口１５及び図柄作動口１６のうちの何れか１つに入球する。
【００６１】
パチンコ球が左上通過口１４に入った場合には、このパチンコ球は、図１０に示すように球誘導樋７０によって誘導を受け、球誘導樋７０の下端から球誘導樋７１に中途に入り、入賞検出スイッチＳＷ４によって６個払出し口への入賞として検出され、球誘導樋７１の下端から入賞口に入賞したパチンコ球を集合して回収する図示しない回収樋に落下して回収される。なお、入賞検出スイッチＳＷ４の検出信号はメイン制御装置１００に入力される。
【００６２】
また、パチンコ球が右上通過口１５に入った場合には、このパチンコ球は、図１０に示すように球誘導樋７２によって誘導を受け、球誘導樋７２の中途において入賞検出スイッチＳＷ６によって６個払出し口への入賞として検出され、球誘導樋７２の下端から入賞口に入賞したパチンコ球を集合して回収する図示しない回収樋に落下して回収される。なお、入賞検出スイッチＳＷ６の検出信号はメイン制御装置１００に入力される。
【００６３】
パチンコ球が中央の図柄作動口１６に入球した場合、前述したように初期位置に停止している球受回転体１８の球支持部３２によって図柄作動口１６に停留される。なお、図柄作動口１６に停留されたパチンコ球は、図柄作動口通過検出スイッチＳＷ１によって検出され、後述のメイン制御装置１００によって図柄表示装置４において図柄変動が開始される。
【００６４】
なお、図柄表示装置４において表示される図柄の種類は、図１２に示すように左図柄が図柄番号０乃至図柄番号７までの８種類、図１３に示すように右図柄が図柄番号０乃至図柄番号２３までの２４種類である。また、図柄の移行順序は、左図柄の場合には図柄番号０→１→２→３→４→５→６→７→０であり、右図柄の場合には、図柄番号０→１→２→３→４→……→２１→２２→２３→０である。
【００６５】
なお、本実施形態のパチンコ遊技機では、図柄表示装置４の停止図柄の決定と停止のタイミングに関して、停止図柄と停止のタイミングをランダムとするためにソフトウェア処理によるＡカウンタ、Ｌカウンタ、Ｒカウンタ、Ｓカウンタを設けてある。
【００６６】
Ａカウンタは、左図柄、右図柄の当りはずれの判定を行うためのカウンタであり、電源投入時に「０」からスタートし、割り込み（２．０４８ｍｓ）毎に１ずつ更新アップして０乃至４０の範囲内で循環的に更新されるカウンタである。
【００６７】
ＬカウンタとＲカウンタは、左図柄と右図柄に設定してあり、左図柄、右図柄の停止図柄を決定するためのカウンタである。電源投入時「０」からスタートし、割り込み（２．７３１ｍｓ）毎に、Ｌカウンタの値（左図柄）を１ずつ更新アップして０乃至７の範囲で循環的に更新し、Ｒカウンタの値（右図柄）は、Ｌカウンタの値が７から０になる毎に１ずつ更新アップして０乃至２３の範囲で循環的に更新する。
【００６８】
Ｓカウンタは、当り時の停止図柄を決定するためのカウンタであり、電源投入時「０」からスタートし、割り込み（２．７３１ｍｓ）毎に、Ｓカウンタの値（左図柄）を１ずつ更新アップして０乃至７の範囲で循環的に更新する。
【００６９】
メイン制御装置１００は、図柄作動口通過検出スイッチＳＷ１の検出信号が入力されると、その時点のＡカウンタの値を記憶する。また、同時に、左図柄及び右図柄の停止図柄を決定する。尚、実施形態では、当り判定に際しては、低確率モードと高確率モードとがある。
【００７０】
低確率モード時である時は、Ａカウンタの値が「３」の時、高確率モード時の時は「３」、「５」、「７」、「１１」、「１３」の時当りと判定し、当たりの場合、その時点のＳカウンタの値によって停止図柄を決定する。なお、当りの場合におけるＳカウンタの値と決定される当り図柄の関係は、Ｓカウンタの値が、「０」、「１」、「２」、「３」、「４」、「５」、「６」、「７」に対応して、それぞれ当り図柄は、「１１」、「７７」、「３３」、「７７」、「５５」、「７７」、「９９」、「７７」である。
【００７１】
また、低確率モード時である時は、Ａカウンタの値が「３」以外の値の時、高確率モード時の時は「３」、「５」、「７」、「１１」、「１３」以外の値の時はずれと判定し、はずれの場合、Ｌカウンタの値を停止する左図柄の停止図柄番号とし、Ｒカウンタの値を停止する右図柄の停止図柄番号とする。
【００７２】
なお、左図柄、右図柄の作成周期は、それぞれ異なるため左図柄、右図柄が全て同じ値となる当りの組み合せも処理上作成される。はずれと判定した場合、メイン制御装置１００は、Ｌカウンタの値とＲカウンタの値との組み合せの判定を行い、作成された左図柄、右図柄に関して当りの組み合せの場合は、右図柄の停止図柄番号を１つアップして、アップした値を停止する右図柄の停止図柄番号とする。
【００７３】
図１４は、図柄表示装置４の左図柄、右図柄の図柄変動開始時から振分入賞装置２の球受回転体１８の作動迄のタイミングチャートである。図１４に示すように、図柄作動口通過検出スイッチＳＷ１による検出時点から約０．００２秒〜０．０１６秒経過した時点で左図柄及び右図柄が同時に変動を開始する。尚、変動開始時は低速変動１で行われ、変動速度は、左図柄及び右図柄共に１ドット毎に移行し、移行周期は最初の１ドット分は０．１６３秒、その次の７ドット分は０．０６５秒である。なお、図１５に低速変動時の図柄の変動態様を示す。図１５に示すように、図柄の移行方向は表示部においては上から下へと移行する。
【００７４】
左図柄及び右図柄の低速変動を開始した時点から０．６２２秒経過すると、メイン制御装置１００により低速変動１から高速変動に左図柄及び右図柄の変動速度の切り換えが行われる。高速変動時の変動速度は、左図柄及び右図柄共に３ドット毎に移行し、移行周期は０．０１６秒である。なお、図１６に高速変動時の図柄の変動態様を示す。
【００７５】
左図柄及び右図柄の変動速度を高速変動に切り換えた時点から１．４４１秒経過すると（左図柄が変動を開始してから３３図柄分変動後）、メイン制御装置１００により、決定された停止図柄番号より２図柄前に差し換え、左図柄の変動速度が低速変動２に切り換えられる。低速変動２の変動速度は、１ドット毎に移行し、移行周期は０．０６５秒である。
【００７６】
そして、左図柄の変動速度を低速変動２に切り換えた時点から０．０６５秒経過すると（左図柄が２図柄分変動した時点で）、メイン制御装置１００により左図柄が停止される。
【００７７】
また、右図柄は、停止された左図柄が「７」以外の場合には、左図柄が停止した時点で（右図柄が変動を開始してから５７図柄分変動した時点で）、決定された停止図柄番号より２図柄前に差し換え、右図柄の変動速度が高速変動から低速変動２に切り換えられる。
【００７８】
また、停止した左図柄が図柄番号「７」である場合には（以下、この場合をリーチということにする）、右図柄の残り変動数を次のようにして決定する。右図柄が「７」又は「９」で停止する場合には、Ｒカウンタの値に２を乗じ、さらに乗じた値に４８を加えて右図柄の残り変動数（４８〜９４図柄分）とする。また、右図柄が「７」又は「９」以外で停止する場合には、Ｒカウンタの値に２４を加えて右図柄の残り変動数（２４〜４７図柄分）とする。
【００７９】
そして、右図柄が「１」、「３」、「５」、「７」、「９」を表示する場合には、右図柄の変動速度が高速変動から、図柄の移行速度が１ドット毎に移行し、移行周期が０．０６５秒で変動し、右図柄が「１」、「３」、「５」、「７」、「９」以外を表示する場合には、図柄の移行速度が３ドット毎に移行し、移行周期が０．０１６秒で変動する。
【００８０】
また、図１７に示すように、左図柄が「７」で停止した場合（すなわち、リーチとなった場合）、右図柄の残り変動数が４５図柄以上の場合（以下、この場合をロングリーチという）、右図柄が４５図柄以上変動した時点で、左図柄「７」が切換周期０．１３１秒で回転する。
【００８１】
なお、図１５に示すように、左図柄及び右図柄の停止時に、停止図柄において、１ドットずつ３ドット分下へ移行した後、１ドットずつ３ドット分だけ上に戻るようなイルミネーション表示が行われる。
【００８２】
右図柄の変動速度を高速変動から低速変動２に切り換えた時点から０．５２４秒経過すると、メイン制御装置１００により右図柄が停止される。なお、左図柄が「７」で停止した場合には、右図柄の変動速度を高速変動から低速変動２に切り換えた時点から３．４５１秒〜１３．７１８秒経過すると、メイン制御装置１００により右図柄が停止される。
【００８３】
確定停止した左図柄及び右図柄の組み合せが、「１，１」、「３，３」、「５，５」、「７，７」、「９，９」の何れかである場合には当りとなり、これらの組み合わせ以外の組み合せである場合には、はずれとなる。なお、実施形態では、さらに、当りとなった組み合わせが「１，１」、「３，３」、「５，５」、「９，９」の何れかである場合には小当りとし、当りとなった組み合わせが「７，７」である場合に大当りとしている。
【００８４】
確定停止した左図柄及び右図柄の組み合せが当りとなる組み合せである場合には、球受回転体駆動モータＭ１により、図２において反時計回りに球受回転体１８が回転し、図柄作動口１６に停留されていたパチンコ球が下部入球部１７に落下して球受部３１に受け止められた後に左方に向けて解放され、下部入球部１７の下部左側に設けられた特別装置作動口１９に入球する。
【００８５】
また、確定停止した左図柄及び右図柄の組み合せがはずれの場合は、図２において時計回りに球受回転体１８が回転し、図柄作動口１６に停留されていたパチンコ球が下部入球部１７に落下して球受部３１に受け止められた後に右方に向けて解放され、下部入球部１７の下部右側に設けられた右下通過口２０に入球する。
【００８６】
なお、図１４に示すように、球受回転体駆動モータＭ１の動作時間は２．９４９秒間である。また、確定停止した左図柄及び右図柄の組み合せが当りとなる組み合せである場合に限り、球受回転体駆動モータＭ１の動作開始時点から特別装置作動口通過検出スイッチＳＷ３の検出信号を有効とすると共に、球受回転体駆動モータＭ１の動作停止時点から２．０５秒間、特別装置作動口通過検出スイッチＳＷ３の検出信号を有効とする。
【００８７】
パチンコ球が特別装置作動口１９に入球した場合には、このパチンコ球は、図１０に示すように、遊技盤裏面に設けた球誘導樋７１によって誘導を受け、球誘導樋７１の上部において特別装置作動口通過検出スイッチＳＷ３によって特定入賞球として検出され、さらに球誘導樋７１によって下方に導かれ、球誘導樋７１の中途において入賞検出スイッチＳＷ４によって６個払出し口への入賞として検出され、球誘導樋７１の下端から入賞口に入賞したパチンコ球を集合して回収する図示しない回収樋に落下して回収される。なお、特別装置作動口通過検出スイッチＳＷ３の検出信号と入賞検出スイッチＳＷ４の検出信号とはメイン制御装置１００に入力される。
【００８８】
パチンコ球が右下通過口２０に入球した場合には、このパチンコ球は、図１０に示すように、球誘導樋７２によって誘導を受け、球誘導樋７２の中途において入賞検出スイッチＳＷ６によって６個払出し口への入賞として検出され、球誘導樋７２の下端から入賞口に入賞したパチンコ球を集合して回収する図示しない回収樋に落下して回収される。なお、入賞検出スイッチＳＷ６の検出信号はメイン制御装置１００に入力される。
【００８９】
メイン制御装置１００は、特別装置作動口入賞検出スイッチＳＷ３の検出信号が入力されると特別装置を作動し（特別遊技フラグをオンし）、第１入賞装置８の入賞口３８へのパチンコ球の入賞を有効とする。
【００９０】
特別装置が作動中に、第１入賞装置８の入賞口３８にパチンコ球が入ると、このパチンコ球は、球受回転体３９の球受凹部４０により運ばれて球出口４１から図１０に示す球誘導樋７３に入り、球誘導樋７３を落下する途中で特別入賞検出スイッチＳＷ５により検出され、さらに球誘導樋７３の下端から球誘導樋７２の中途に落下し、球誘導樋７２によって導かれ、入賞検出スイッチＳＷ６によって６個払出し口への入賞として検出され、球誘導樋７２の下端から入賞口に入賞したパチンコ球を集合して回収する図示しない回収樋に落下して回収される。なお、特別入賞検出スイッチＳＷ５の検出信号と入賞検出スイッチＳＷ６の検出信号とはメイン制御装置１００に入力される。
【００９１】
特別入賞検出スイッチＳＷ５の検出信号がメイン制御装置１００に入力されると、メイン制御装置１００は、前述の当りとなった組み合わせが「１，１」、「３，３」、「５，５」、「９，９」の何れかである小当りの場合であれば、第１入賞装置８の入賞口３８に設定する規定入賞数を５個とし、当りとなった組み合わせが「７，７」である大当りの場合であれば、第１入賞装置８の入賞口３８に設定する規定入賞数を１６個とし、設定した規定入賞数までのカウントを開始する。
【００９２】
そして、メイン制御装置１００は、特別入賞検出スイッチＳＷ５の検出信号に応じて、図１の右袖下入賞口９を構成するチャッカの前面に配備した遊技情報表示器６７に第１入賞装置８の入賞口３８に入賞したパチンコ球の個数を数字表示する。なお、入賞個数が１個から９個までは数字を点灯表示し、入賞個数が１０個から１６個までは、下１桁の数字を２０５ｍｓの周期で点滅表示する。次いで、メイン制御装置１００は図８に示す開放ソレノイドＳＯＬ２を作動し、第２入賞装置１１の大入賞口４６を約８．４秒間開放してパチンコ球の入賞を可能とする。
【００９３】
開放中の大入賞口４６にパチンコ球が入賞すると、図８に示すように、このパチンコ球は振分片４８によって左右に振分けられた後、図７に示す球出口４９及び球出口５０の何れかから遊技盤裏面側に誘導される。図１０に示すように、パチンコ球が球出口４９を通過した場合及びパチンコ球が球出口５０を通過した場合の何れの場合であっても、このパチンコ球は、球誘導樋７６により誘導を受け、球誘導樋７６の末端において大入賞口入賞検出スイッチＳＷ９により検出された後、回収樋に落下して回収される。
【００９４】
大入賞口入賞検出スイッチＳＷ９の検出信号はメイン制御装置１００に入力され、第２入賞装置１１に設定された規定入賞数１０個までのカウントが開始される。なお、開放中の第２入賞装置１１の大入賞口４６にパチンコ球が１０個入賞した場合には、大入賞口６０の開放時点からの経過時間が８．４秒に達していなくとも、メイン制御装置１００は開放ソレノイドＳＯＬ２の励磁を停止し、大入賞口４６を閉鎖する。また、開放中の大入賞口４６に入賞したパチンコ球の数が、規定個数１０個に達しないうちに、大入賞口４６の開放時点からの経過時間が８．４秒に達すると、メイン制御装置１００は開放ソレノイドＳＯＬ２の励磁を停止し、大入賞口４６を閉鎖する。
【００９５】
特別装置が作動中であれば、大入賞口４６の閉鎖後、再び、第１入賞装置８の入賞口３８にパチンコ球が入賞すると、このパチンコ球が特別入賞検出スイッチＳＷ５により検出されて検出信号がメイン制御装置１００に入力されることにより、再び、第２入賞装置１１の大入賞口４６の８．４秒間の開放が行われる。
【００９６】
このように、特別装置が作動中は、大入賞口４６の開放動作の終了後、第１入賞装置８の入賞口３８にパチンコ球が入賞する毎に、新たに大入賞口４６の開放動作が開始される。なお、大入賞口４６の開放動作は、小当りの場合には第１入賞装置８の入賞口３８に設定された規定入賞数５に対応して最高で５回までであり、大当りの場合には第１入賞装置８の入賞口３８に設定された規定入賞数１６に対応して最高で１６回までである。
【００９７】
なお、大入賞口４６の開放中に、第１入賞装置８の入賞口３８にパチンコ球が入賞し、このパチンコ球が特別入賞検出スイッチＳＷ５により検出されて検出信号がメイン制御装置１００に入力された場合には、第１入賞装置８の入賞口３８に設定された規定入賞数に関する入賞個数のカウントアップが行われるのみで、今回の第１入賞装置８の入賞口３８への入賞に応じた第２入賞装置１１の大入賞口４６の８．４秒間の開放は行われない。
【００９８】
また、特別装置の作動期間の終了条件は、第１入賞装置８の入賞口３８に入賞したパチンコ球の個数が規定入賞数に達するか、あるいは、特別装置の作動中に再び振分入賞装置２に設けられた特別装置作動口１９にパチンコ球が入球した場合である。メイン制御装置１００は、特別装置の作動期間が前記の終了条件を満たすと、特別装置を停止し（特別遊技フラグをオフし）、以降の第１入賞装置８の入賞口３８へのパチンコ球の入賞を無効化する（メイン制御装置１００は、特別入賞検出スイッチＳＷ５の検出信号が入力されても無効とする）。
【００９９】
また、図柄表示装置４における図柄変動の停止結果が当りの場合、再び、振分入賞装置２の可変入賞口１２に入賞したパチンコ球が図柄作動口１６に入球して停留すると、これに応じて図柄表示装置４の図柄変動が開始される。
【０１００】
これにより、図柄表示装置４の左図柄及び右図柄が変動表示するため確定停止した当り図柄が図柄表示装置４から消滅するが、前述した特別装置の停止時点でメイン制御装置１００は、遊技情報表示器６７に当りとなった図柄番号に対応する図柄を表示する。このため、図柄変動中に遊技情報表示器６７に当り図柄に対応する図柄番号が継続して表示されているので、遊技者は当り図柄を遊技情報表示器６７で確認することができる。なお、遊技情報表示器６７において表示されている当り図柄は、次に図柄表示装置４において当りが発生するまでの間、継続して表示される。
【０１０１】
次に、図柄表示装置４における当り発生に関する低確率モード（当り発生の確率が１／４１）と高確率モード（当り発生の確率が５／４１）との移行について説明する。図１８は、図柄表示装置４における当り発生に関する確率モードの移行と特別装置の作動との関係を示すタイミングチャートである。電源投入時は、低確率モードに設定されている。図柄表示装置４において当りが発生し、かつ振分入賞装置２の下部入球部１７の特別装置作動口１９にパチンコ球が入賞して特別装置が作動し（すなわち、電源投入後、初回の特別装置が作動し）、該特別装置の作動が終了した時点で、メイン制御装置１００により低確率モードから高確率モードに切り換えられる。
【０１０２】
そして、高確率モード中、図柄表示装置４において当りが発生し、かつ振分入賞装置２の特別装置作動口１９にパチンコ球が入賞して特別装置が作動し（電源投入時から数えて２回目の特別装置の作動）、２回目の特別装置の作動が終了した時点で、高確率モードから低確率モードに切り換えられる。さらに、電源投入時から数えて２回目の特別装置の作動が停止した後も低確率モードが維持される。
【０１０３】
また、図１２乃至図１３及び図１５乃至図１７に示すように、図柄表示装置４の左図柄及び右図柄が、低確率モードの場合に「赤」により表示されている部分が、高確率モードに切り換わると「緑」に切り換わり、低確率モード時に「緑」で表示されていた部分が「赤」に切り換わる。このように、確率モードの別に対応して図柄を表示する色を切り換えることで遊技者に報知する。以上の確率切換制御方法と表示機能とにより、従来にない確率制御、情報報知を実現する目的効果を達成する構成を有している。また、図９に示す図柄表示ユニット３に配備した飾りＬＥＤ５４と飾りＬＥＤ５５とが高確率モード時に１３１ｍｓ毎に交互に点滅する。
【０１０４】
なお、図１９乃至図２１は、遊技状態の別に対応する各種表示ランプ・ＬＥＤの点灯態様を示す表である。さらに、図２２は、遊技状態の別に対応する効果音並びに音声の音表示態様を示す表である。尚、遊技盤面に配備した各種表示ランプ・ＬＥＤの点灯態様及び効果音の音表示態様については、図面によってのみ示すものとし、詳細な説明は省略する。
【０１０５】
次に、実施形態のパチンコ遊技機の遊技盤裏面に配設された賞品球の排出機構及び貸球の排出機構について説明する。なお、本実施形態のパチンコ遊技機は、カード式のパチンコ遊技機としてある。図２３は、本実施形態のパチンコ遊技機における賞品球の排出機構及び貸球の排出機構を示す遊技機の裏面図である。
【０１０６】
遊技機の基枠１１１の裏面上部には球タンク１１２が取付けられ、該球タンク１１２内には賞品球あるいは貸球として排出するためのパチンコ球が貯留される。球タンク１１２の下部には、基枠１１１の右側に向けて斜め下方に傾斜が掛けられた補給球誘導レール１１３が取り付けられ、球タンク１１２の左側寄りの下端には補給球誘導レール１１３に臨んで開口１１４が設けられている。なお、符号１１５は、該補給球誘導レール１１３を遊技盤裏面に対して取り付ける際の傾斜角度を調整可能とするための取付角度調整孔である。
【０１０７】
図２４は、球タンク１１２及び補給球誘導レール１１３の拡大平面図である。補給球誘導レール１１３は、前後方向に互いに隔壁によって隔てられた４条の球誘導樋１１６，１１７，１１８，１１９が設けられている。また、補給球誘導レール１１３の左側寄りには、球タンク１１２の開口１１４を上方に臨む位置に２条の球誘導樋１１６，１１７に対応して球切れ検出体１２０ａが配設され、２条の球誘導樋１１８，１１９に対応して球切れ検出体１２０ｂが配設されている（図２３においては符号１２０で示す１つのみ図示）。
【０１０８】
これらの球切れ検出体１２０は、それぞれ右端下部を回動可能に軸支されると共に、球切れ検出体１２０の左端下部に設けられた突出部１２１を後述の球切れ検出器のアクチュエータによる付勢力によって開口１１４に向けて付勢されている。
【０１０９】
さらに、これら２つの球切れ検出体１２０に各々対応して、これら２つの球切れ検出体１２０の下方に２つの球切れ検出器１０６が配設されている（なお、図２４においては符号１２０ａで示す球切れ検出体に対応する一方のみ図示）。なお、球切れ検出器１０６は、マイクロスイッチにより構成されている。
【０１１０】
球タンク１１２内にパチンコ球が貯留されている状態では、球タンク１１２内のパチンコ球が開口１１４を通して補給球誘導レール１１３の４条の球誘導樋１１６，１１７，１１８，１１９のそれぞれに導かれる。そして、パチンコ球の重さにより補給球誘導レール１１３の４条の球誘導樋１１６，１１７，１１８，１１９に各々対応して２つの球切れ検出体１２０ａ，１２０ｂが補給球誘導レール１１３の底板側に押え付けられ、２つの球切れ検出体１２０ａ，１２０ｂの下面にそれぞれ設けられた突出部１２１が、これらに対応する２つの球切れ検出器１０６のアクチュエータをそれぞれ押し込んでオン状態としている。
【０１１１】
また、補給球誘導レール１１３の球誘導樋１１６，１１７と球誘導樋１１８，１１９のうちの一方が球切れとなると、球切れを起こした球誘導樋に設けた球切れ検出体１２０がアクチュエータの付勢により開口１１４側に回動し、回動した球切れ検出体１２０の下面に設けられた突出部１２１による球切れ検出器１０６のアクチュエータに対する押し込みが解除されるので、球切れを起こした球誘導樋に対応する球切れ検出器１０６がオフ状態となって球切れが検出される。
【０１１２】
図２３に示すように、補給球誘導レール１１３の右端部には、前記の球誘導樋１１６乃至１１９にそれぞれ連結する４条の球誘導樋１２２，１２３，１２４，１２５が設けられている。図２５は、図２３における矢視ａ−ａ線方向から眺めて示す拡大側面図である。
【０１１３】
図２３に示すように、補給球誘導レール１１３の球誘導樋１１６乃至１１９に連結する球誘導樋１２２乃至１２５は、基枠１１１の右側に至って後、左側下方に向けて斜めに屈曲され、さらに基枠１１１の中央部に大きく開設された開口部１２６の右側縁上部に至って下方に向けて折曲されている。なお、基枠１１１の右側の球誘導路１２２乃至１２５の屈曲部分から分岐して、下方に向けて延出する球抜き経路１２７が設けられている。
【０１１４】
開口部１２６の右側縁上部の近傍には、補給球誘導レール１１３の球誘導樋１２２乃至１２５の各々に対して、アクチュエータを臨ませてマイクロスイッチからなる４つの球切れ検出器１８０ａ，１８０ｂ，１８０ｃ，１８０ｄが設けられており、球誘導樋１２２乃至１２５の各上部において再度球切れ状態を検出する構成としてある。これら球切れ検出器１８０ａ〜１８０ｄの検出信号はメイン制御装置１００に入力される。
【０１１５】
また、基枠１１１の裏面には、前記開口部１２６の右側縁中間部に隣接して貸球用の球排出装置１２８が配設され、該球排出装置１２８の下方において開口部１２６の右側縁下部から間隔を開けて賞品球用の球排出装置１２９が配設されている。なお、本実施形態では、貸球用の球排出装置１２８及び賞品球用の球排出装置１２９は、同じ装置であって、球排出駆動モータＭ３によって回転するスリュー式排出機構を用いている。
【０１１６】
前後に２条の球誘導樋１２４，１２５は、開口部１２６の右側縁上部に沿って垂下した後、貸球用の球排出装置１２８の上方において右側下方に向けて斜めに屈曲され、さらに該球排出装置１２８の右側部の上方に至って下方に向けて折曲され、２条の球誘導樋１２４，１２５の終端がそれぞれ球排出装置１２８に連結されている。
【０１１７】
また、前後に２条の球誘導樋１２２，１２３は、開口部１２６の右側縁上部に沿って垂下した後、球誘導樋１２４，１２５よりも上方側で右側下方に向けて斜めに屈曲され、さらに基枠１１１の右側寄りに至って下方に向けて折曲され、球排出装置１２８の右側部に沿って下方に垂下した後に左方に屈曲され、２条の球誘導樋１２２，１２３の終端がそれぞれ賞品球用の球排出装置１２９に連結されている。
【０１１８】
これらの球切れ検出器１８０ａ〜１８０ｄは、貸球用の球排出装置１２８と賞品球用の球排出装置１２９とに対して補給される補充球の不足が検出された場合に貸球の払出しか賞品球の払出しかの何れか一方の払出し動作を払出制御装置１０１の制御に基いて停止する目的効果を達成しようとしている。
【０１１９】
また、１回の払出数が貸球が２５個であるのに対して、賞品球では多くて１５個（機種によっては、１３個）となることを鑑みて、補充球の球不足による賞品球の払出し禁止時期を、補充球の球不足による貸球の払出し禁止時期よりも遅くし、できるだけ賞品球の払出し動作を許容して払出制御装置１０１に制御させるために、貸球用の球排出装置１２８に対して補充球を供給する球誘導樋１２４，１２５に第２の球切れ検出体（図示せず）を設ける一方、賞品球用の球排出装置１２９に対して補充球を供給する球誘導樋１２２，１２３に第３の球切れ検出体（図示せず）を設け、球誘導樋１２４，１２５における貸球用の球排出装置１２８に対する第２の球切れ検出体の配設位置よりも、球誘導樋１２２，１２３における賞品球用の球排出装置１２９に対する第３の球切れ検出体の配設位置の方を賞品球用の球排出装置１２９に近接する位置に配設する構成とすることで、球不足時における賞品球の払出し禁止時期を球不足時における貸球の払出し禁止時期よりも遅く設定しようとする目的効果を達成することができる。
【０１２０】
貸球用の球排出装置１２８の下部には球排出樋１３０が連結され、該球排出樋１３０は開口部１２６の右側縁下部に沿って垂下し、開口部１２６の右側縁下端に至って開口部１２６の下方に設けた排出球集合樋１３１に連結している。
【０１２１】
また、賞品球用の球排出装置１２９の下部には球排出樋１３２が連結され、該球排出樋１３２は開口部１２６の右側縁下端に向けて傾斜し、その末端が排出球集合樋１３１に連結している。球排出樋１３２の後方には、球排出樋１３２に向き合うようにして賞球払出し音を発生させるベル１８１が取り付けられており、賞品球用の球排出装置１２９から排出されたパチンコ球が球排出樋１３２を流下する際にベル１８１に衝突して賞球払出し音を発生させる。
【０１２２】
これにより、賞品球の払出し時は、賞品球がベル１８１に衝突して賞品球の払出し効果音を発生させる。一方、貸球用の球排出装置１２８の下部に設けた球排出樋１３０にはベルを設けず、したがって貸球の払出し時にはベルによる効果音を発生させず、賞品球の払出し時にのみベル１８１による賞品球の払出し効果音を発生させるようにして賞品球の払出し時を識別させ遊技者に特別の情報提供をしようとする目的効果を達成する構成としてある。
【０１２３】
さらに、排出球集合樋１３１の出口に臨んで遊技機の前面に設けられた球受上皿（図示せず）に通じる排出球経路１３３が設けられ、排出球経路１３３の入口の一側に設けられた隔壁１３４により隔てられて、球受下皿（図示せず）に通じる排出球経路１３５が設けられている。
【０１２４】
さらに、排出球経路１３５の中途にはベル取付部１３６が設けられ、排出球経路１３５の末端の一側には、球受下皿が満タン状態となった場合にパチンコ球によって左側方に回動する満タン検出用の作動片１３７が軸支され、該作動片１３７を左方から臨んで満タン検出器１０５が配設されている。
【０１２５】
図２６は貸球用の球排出装置１２８及び賞品球用の球排出装置１２９を構成する球排出装置１３８の正面図であり、図２７は球排出装置１３８の平面図であり、図２８は球排出装置１３８の側面図であり、図２９は、球排出装置１３８の分解斜視図である。
【０１２６】
球排出装置１３８は、概略として、ケース本体１４６、軸受部材１４７、軸受カバー部材１４８、スクリュー１４９及び球排出駆動モータＭ３を備えている。ケース本体１４６は上面に平坦な載置部１５０を備え、ケース本体１４６の右側縁と後側縁とに上方に向けて立ち上がる右側壁１５１及び後壁１５２が一体に形成され、ケース本体１４６の前方及び左方は開放されている。
【０１２７】
ケース本体１４６の載置部１５０には球排出駆動モータＭ３がその駆動軸１５３を下方に向けて配置され、該駆動軸１５３には球送り部材を構成するスクリュー１４９が固着されている。なお、スクリュー１４９は、駆動軸１５３に結合される軸部１５５と、該軸部１５４の外周の中間部から下端に亘って形成されたスクリュー部１５６を有している。なお、符号１５７は、球排出駆動モータＭ３に対して電気的に接続を行うためのコネクタ接続用のソケットである。
【０１２８】
ケース本体１４６の右側壁１５１の外側には、基枠１１１に設けた２条の球誘導樋１２４，１２５（１２２，１２３）の終端にそれぞれ連結する２条の球誘導路１５８，１５９が上下方向に向けて前後に並んで設けられ、２条の球誘導路１５８，１５９の下部がスクリュー１４９の上部の軸部１５５に向けて屈曲され、２条の球誘導路１５８，１５９の末端がそれぞれスクリュー１４９を前後に挟むようにしてスクリュー部１５６に案内されている。
【０１２９】
また、軸受部材１４７が軸受カバー部材１４８の内側に一体に嵌合されてケース軸受１６０を構成しており、該ケース軸受１６０がケース本体１４６の下面に対して取り付けられている。
【０１３０】
軸受部材１４７の中央には凹状のスクリュー収納部１６１が設けられており、該スクリュー収納部１６１に上方から挿入されたスクリュー１４９のスクリュー部１５６が収納されている。
【０１３１】
軸受部材１４７の中央下部には、スクリュー１４９の下端前方と下端後方とにそれぞれ臨んで前後に２条の球排出路１６２，１６３が上下方向に形成され、２条の球排出路１６２，１６３の下端がそれぞれ球排出口１６４，１６５に形成されている。該２条の球排出路１６２，１６３は、基枠１１１に形成されている球排出樋１３０（１３２）に連結されている。
【０１３２】
さらに、軸受部材１４７の上面右側には、ケース本体１４６に形成した２条の球誘導路１５８，１５９に対応して前後に、上端を円弧状に形成した誘導フィン１６６，１６７が左右方向に向けてそれぞれ突設されている。誘導フィン１６６，１６７は、右端側が左端側よりも高く形成され、スクリュー１４９の上部の軸部１５５に案内すべく屈曲されている２条の球誘導路１５８，１５９の下側を形成している。
【０１３３】
また、図２９に示すように、軸受部材１４７の下部前面と下部後面に対してそれぞれ排出球センサ１６８，１６９（フォトセンサ）が取付けられている。該排出球センサ１６８，１６９は、２条の球排出路１６２，１６３に排出されるパチンコ球をそれぞれ検出する。
【０１３４】
球排出装置１３８によるパチンコ球の排出動作を説明する。球排出駆動モータＭ３を駆動すると、その駆動軸１５３及びスクリュー１４９が一体に回転し、スクリュー１４９の回転に伴って、スクリュー１４９の軸部１５５に案内されているパチンコ球がスクリュー部（溝）１５６に係合しながら下方に送られていき、スクリュー部１５６の末端が球排出路１６２に臨んだ時に、パチンコ球が１球だけ球排出路１６２に落下し、引き続いてスクリュー１４９が回転してスクリュー部１５６の末端が球排出路１６３に臨んだ時に、パチンコ球が１球だけ球排出路１６３に落下する。このようにして、スクリュー１４９の回転により、２条の球排出路１６２，１６３に対して１球ずつ交互にパチンコ球を排出する。
【０１３５】
図３０は、実施形態のパチンコ遊技機に配備したパチンコ球の払出し装置の要部ブロック図である。尚、本実施形態のパチンコ遊技機はカード式のパチンコ遊技機としてある。
【０１３６】
払出制御装置１０１（払出し制御部）は、制御処理実行手段としてのサブＣＰＵと、サブＣＰＵが行う各制御プログラムを格納したＲＯＭと、随時データの読み出し並びに書き込みが可能なＲＡＭと、メイン制御装置１００と通信を行うための通信インタフェースとにより構成されている。なお、払出制御装置１０１の内部構成については図示を省略する。
【０１３７】
払出制御装置１０１は、図１１に示すようにメイン制御装置１００（主制御部）に対して通信接続されている他、賞品球の払出しを行う前述したスクリュー機構式の球排出装置１２９、球排出装置１２９と同じ構造の貸球２５個の排出を行う球排出装置１２８に接続されると共に、球排出装置１２９に配備された排出球センサ１６８，１６９（図２９参照）及び球排出装置１２８に配備された排出球センサ１６８，１６９に接続されており、球排出装置１２８及び球排出装置１２９、これらに配備された各排出球センサ１６８，１６９により払出し可動部１７０が構成されている。
【０１３８】
また、払出制御装置１０１には、通信インタフェース１７１を通じてカードユニット１７２が接続され、該カードユニット１７２には、インタフェース１７１を介して貸球ボタンへの操作を検出するための貸出し検出スイッチ１７３及びプリペイドカードの残度数を表示するための度数表示部１７４が接続されている。図３０に示すように、通信インタフェース１７１、貸出し検出スイッチ１７３及び度数表示部１７４により球貸し制御ブロックが構成される。尚、貸出し検出スイッチ１７３及び度数表示部１７４から通信インタフェース１７１に至る信号ラインは、払出制御装置１０１に入力されることなく、図示しない払出し制御基板上において中継されている。
【０１３９】
また、払出制御装置１０１には、パチンコ球を遊技盤面１に向けて弾発するための発射装置駆動部１７５が接続され、発射装置駆動部１７５に発射装置可動部１７６が接続されている。なお、発射装置駆動部１７５及び発射装置可動部１７６により発射ブロックが構成されている。
【０１４０】
カードユニット１７２と払出制御装置１０１とは通信インタフェース１７１を通じて双方向通信可能に接続されており、カードユニット１７２は、通信インタフェース１７１を通じて払出制御装置１０１に対し常時レディ信号を出力している。
【０１４１】
また、カードユニット１７２は、プリペイドカードを挿入し、該プリペイドカードに記憶された金額に対応する残度数を通信インタフェース１７１を介して度数表示部１７４に出力する。そして、カードユニット１７２は、貸球ボタンへの操作により、貸出し検出スイッチ１７３の操作検出信号を通信インタフェース１７１を介して入力すると、当該貸出し操作に応じた金額を差し引くと共に、貸出し操作に応じた金額に相当する貸球要求信号を通信インタフェース１７１を介して払出制御装置１０１に出力するものである。なお、１回の貸出し操作につき、該プリペイドカードに記憶された金額から１００円を差し引くと共に、貸球２５個を１単位として貸球要求信号を払出制御装置１０１に出力する。
【０１４２】
また、実施形態のパチンコ遊技機では、左落し入賞口７、右落し入賞口１０及び第２入賞装置１１の大入賞口４６は入賞に対する賞品球の払出個数を１３個とし、左袖下入賞口６、右袖下入賞口９、振分入賞装置２の可変入賞口１２及び第１入賞装置８の入賞口３８は、入賞に対する賞品球の払出個数が６個としているので、図３０においては、メイン制御装置１００に、遊技盤面に設けられた複数種類の入賞口毎に異なる賞品数（例えば、６個払い出し口と１３個払い出し口の２種類）を設定する構成としてある。即ち、第１の賞球数（６個）に設定されている入賞口に対して配備された第１入賞検出スイッチ１７７（図１０においては、入賞検出スイッチＳＷ４及びＳＷ６に相当する）と、第１の賞球数とは異なる第２の賞球数（１３個）に設定されている入賞口に対して配備された第２入賞検出スイッチ１７８（図１０においては、入賞検出スイッチＳＷ７，ＳＷ８及びＳＷ９に相当する）とをスイッチ入力回路７７を介してメイン制御装置１００に接続してある。
【０１４３】
次に、図３０に示すパチンコ球の払出し装置の作用について説明する。遊技盤面において入賞が発生すると、メイン制御装置１００は、６個払出口へ入賞した場合には、第１入賞検出スイッチ１７７の入賞検出信号により、１３個払出口へ入賞した場合には、第２入賞検出スイッチ１７８の入賞検出信号により、賞品球の払出数の別に対応した入賞検知を行い、入賞検知を行う毎に第１入賞検出スイッチ１７７及び第２入賞検出スイッチ１７８の別に対応してメイン制御装置１００内のＲＯＭ（図示せず）に設定された払出個数設定用テーブルを検索して入賞検知を行った入賞検出スイッチに対応する払出個数データを読み出し、読み出した払出個数データをメイン制御装置１００内のＲＡＭ（図示せず）の払出個数データ記憶部の空き領域に順次記憶する。
【０１４４】
図３１は、払出個数設定用テーブルの払出個数データの記憶状態を示す概念図である。図３１に示すように、払出個数設定用テーブルの第１番目の記憶領域が第１入賞検出スイッチに対応する払出数の記憶領域に設定され、第２番目の記憶領域が第２入賞検出スイッチに対応する払出数の記憶領域に設定され、第３番目の記憶領域が第３入賞検出スイッチに対応する払出数の記憶領域に設定され、…というように、順次入賞検出スイッチの別に対応して払出個数データの記憶領域が設定されている。
【０１４５】
図３１においては、第１入賞検出スイッチ１７７に対応する払出数６が第１番目の記憶領域に記憶され、第２入賞検出スイッチ１７８に対応する払出数１３が第２番目の記憶領域に記憶されている。なお、７個払出口に設定された入賞口や１５個払出口に設定された入賞口を有する遊技盤を備えるパチンコ遊技機の場合であれば、これら払出数の別毎に入賞口に各々対応して遊技盤に設けられた各入賞検出スイッチをそれぞれ第３入賞検出スイッチ及び第４入賞検出スイッチとすることにより、払出個数設定用テーブルの第３番目の記憶領域から７個払出口に関する入賞検知に応じた払出数７を、第４番目の記憶領域から１５個払出口に関する入賞検知に応じた払出数１５をそれぞれ読み出すことができる。
【０１４６】
また、図３２は、メイン制御装置１００と払出制御装置１０１とにそれぞれ配備された払出し個数データ記憶部における払出個数データの記憶状態を示す概念図である。払出個数データ記憶部の最初の記憶領域には、払出個数データの記憶件数が記憶される。なお、例えば、払出個数データ記憶部に払出個数データの記憶が全くない場合には最初の記憶領域に記憶件数０が記憶され、払出個数データ記憶部に払出個数データの記憶が１０個あれば、最初の記憶領域に記憶件数１０が記憶される。
【０１４７】
払出個数データ記憶部の第２番目以降の各記憶領域には、記憶件数分の払出個数データが順次記憶される。図３２に示す例では、第１入賞検出スイッチ１７７の入賞検知に対応して第２番目の記憶領域に払出個数データとして６が記憶され、これに次いで発生した第１入賞検出スイッチ１７７の入賞検知に対応して第３番目の記憶領域に払出個数データとして６が記憶され、この次に発生した第２入賞検出スイッチ１７８の入賞検知に対応して第４番目の記憶領域に払出個数データとして１３が記憶され、さらに次いで発生した第２入賞検出スイッチ１７８の入賞検知に対応して第５番目の記憶領域に払出個数データとして１３が記憶された場合を示している。
【０１４８】
そして、メイン制御装置１００は、払出個数データ記憶部への払出個数データの記憶が済むと、払出制御装置１０１に対して払出個数データ記憶部の第２番目の記憶領域に記憶された払出個数データを送信し、第２番目の記憶領域に記憶された払出個数データの送信後、第３番目以降の各記憶領域に記憶された各払出個数データを第２番目以降の各記憶領域に順次シフトし、記憶件数Ｎに対応する第Ｎ番目の記憶領域を０クリアし、最後に記憶件数Ｎの値を１つ減じて最初の記憶領域に再記憶する。
【０１４９】
払出制御装置１０１は、メイン制御装置１００から送信される払出個数データを含む賞球コマンドを受ける。払出制御装置１０１内のＲＡＭ（図示せず）には、図３２に示すメイン制御装置１００内のＲＡＭ（図示せず）の払出個数データ記憶部と同等の形式の払出個数データ記憶部が設定されている。払出制御装置１０１は、賞球コマンドを受けると、メイン制御装置１００から送信された払出個数データを払出個数データ記憶部の空き領域に順次記憶する。例えば、現在の記憶件数が４件で、今回メイン制御装置１００から送信された払出個数データが６であれば、払出個数データ記憶部の第６番目の記憶領域に今回送信された払出個数データとして６が記憶されると共に、記憶件数が１つアップして記憶件数が５となり、記憶件数「５」が払出個数データ記憶部の最初の記憶領域に記憶される。このように、払出制御装置１０１は、メイン制御装置１００から送信された払出個数データを受ける毎に、受けた払出個数データを払出個数データ記憶部の空き領域に順次記憶する。
【０１５０】
そして、払出制御装置１０１は、払出個数データ記憶部への払出個数データの記憶が済むと、賞球用の球排出装置１２９に対して払出個数データ記憶部の第２番目の記憶領域に記憶された払出個数データの払出制御を行う。例えば、払出個数データ記憶部の第２番目の記憶領域に記憶された払出個数データが１３である場合、払出個数１３個に対応して球排出装置１２９を回転駆動し、指令された払出個数のパチンコ球の払出制御を行う。そして、払出制御装置１０１は排出球検出センサ１６８，１６９の検出信号があれば計数して実質的に排出されたパチンコ球の排出数を監視し、排出数が指令した払出個数１３個に達すると、球排出装置１２９の駆動を停止する。
【０１５１】
払出個数データ記憶部の第２番目の記憶領域に記憶された払出個数データの払出制御が完了すると、第３番目以降の各記憶領域に記憶された各払出個数データを第２番目以降の各記憶領域に順次シフトし、記憶件数Ｎに対応する第Ｎ番目の記憶領域を０クリアし、最後に記憶件数Ｎの値を１つ減じて最初の記憶領域に再記憶する。
【０１５２】
このように、遊技盤面において入賞が集中して発生した場合であっても、メイン制御装置１００の設定個数データ記憶部に一時的に集中して発生する払出個数データを順次記憶して保持し、メイン制御装置１００から払出制御装置１０１に払出個数データを順次送信し、払出制御装置１０１がメイン制御装置１００から送信された払出個数データを受ける毎に、受けた払出個数データを払出個数データ記憶部の空き領域に順次記憶して保持するので、賞品球の払出し制御が安定して確実に実現できる。
【０１５３】
また、払出制御装置１０１は、カードユニット１７２から送られた貸球要求信号を受けると、貸球個数２５個に対応して球排出装置１２８を駆動し、貸球２５個を排出するパチンコ球の払出制御を行う。そして、貸球の排出時には、貸球用の球排出装置１２８に設けた排出球検出センサ１６８，１６９の検出信号を払出制御装置１０１に入力し（図２８参照）、排出球検出センサ１６８，１６９の検出信号の有無を監視し、排出球検出センサ１６８，１６９の検出信号があれば計数し、指令した貸球個数に対して実質的に排出されたパチンコ球の排出数を監視し、排出数が指令した貸球個数２５個に達すると、球排出装置１２８の駆動を停止する。
【０１５４】
また、下皿に至る賞品球の排出球経路１３５（図１２及び図２２参照）にパチンコ球が満タン状態となると、満タン検出器１０５がオンとなる。メイン制御装置１００は、満タン検出器１０５が約２００ｍｓの間オン状態を維持している場合、満タン検出器エラーと判別し、満タン検出器エラーコマンド（発射停止指令）を払出制御装置１０１に送信する。
【０１５５】
払出制御装置１０１は満タン検出器エラーコマンドを受信すると、図示しないエラー表示器により表示すると共に、球排出装置１２９の駆動を停止し、発射装置駆動部１７５に対して駆動停止指令を出力し発射装置可動部１７６を停止する。
【０１５６】
メイン制御装置１００は、満タン検出器１０５がオフすると、満タン検出器エラー解除と判別し、満タン検出器エラー解除コマンドを払出制御装置１０１に送信する。払出制御装置１０１は満タン検出器エラー解除コマンドを受信すると、図示しないエラー表示器による表示を消すと共に、再び、球排出装置１２９の駆動を再開し、発射装置駆動部１７５に対して駆動可能指令を出力し発射装置可動部１７６を駆動可能とする。
【０１５７】
また、払出制御装置１０１は、電源投入後、カードユニット１７２が接続されているか否かを、カードユニット１７２からレディ信号の入力があるか否かにより所定周期毎に判別しており、カードユニット１７２からレディ信号の入力がない場合には、上述と同様に、発射装置駆動部１７５に対して駆動停止指令を出力し発射装置可動部１７６を停止する。そして、カードユニット１７２からレディ信号の入力がないことに基いて発射装置を停止した場合、カードユニット１７２からレディ信号の入力があれば、発射装置駆動部１７５に対して駆動可能指令を出力し発射装置可動部１７６を駆動可能とする。
【０１５８】
以上に説明した発射装置の停止に係る実施形態と、本願の請求項１に記載の要件との対応関係を説明すると、請求項１における「払出し可動部から払い出された賞品球及び貸球の払出し経路に、該払出し経路におけるパチンコ球の満タン状態を検出する満タン検出器を設け」における「払出し経路」は図２３に示す排出球経路１３５に対応し、請求項１に記載の「満タン検出器」は図２３に示す満タン検出器１０５に対応する。また、請求項１に記載の「主制御部に満タン検出器を連絡し、」は、満タン検出器１０５がスイッチ入力回路７８を介してメイン制御装置１００に接続されていることが図３０に示されている。「パチンコ球を遊技盤面に向けて発射する発射装置を前記払出し制御部に連絡し、」は、図３０に、「発射装置」が「発射ブロック」として示されている。請求項１における「前記払出し制御部が、該払出し制御部に前記カードユニットが接続されていることを判別するレディ信号が入力されない場合、または前記主制御部が前記満タン検出器の作動信号に応じて出力する発射停止指令が入力された場合にのみ、前記発射装置の作動を停止するものである」は、上述の説明から明らかである。
【０１５９】
上記の構成によれば、払出し制御部が、該払出し制御部にカードユニットが接続されていることを判別するレディ信号が入力されない場合、または主制御部が満タン検出器の作動信号に応じて出力する発射停止指令が入力された場合にのみ、発射装置の作動を停止制御することができる。
【０１６０】
また、球排出装置１２８及び球排出装置１２９にパチンコ球を供給する球誘導樋１２２〜１２５内のパチンコ球が球切れ状態となると、球切れを起こした球誘導樋に対応する球切れ検出器１８０ａ〜１８０ｄ（図２３参照）がオフとなる。なお、メイン制御装置１００は、球切れ検出器１８０ａ〜１８０ｄの球切れ検出信号を負論理で検出する。
【０１６１】
メイン制御装置１００は、球切れ検出器１８０ａ〜１８０ｄが約６９６．５ｍｓの間オフ状態を維持している場合、球切れ防止エラーと判別し、球切れ検出器１８０ａ，１８０ｂの場合には、賞品球球切れ防止エラーコマンドを払出制御装置１０１に送信すると共に球切れランプ６６（図９参照）を点灯する一方、球切れ検出器１８０ｃ，１８０ｄの場合には、貸球球切れ防止エラーコマンドを払出制御装置１０１に送信すると共に、球切れランプ６６（図９参照）を点灯する。
【０１６２】
払出制御装置１０１は賞品球球切れ防止エラーコマンドを受信すると、図示しないエラー表示器により表示すると共に、賞品球用の球排出装置１２９の駆動を停止する一方、貸球球切れ防止エラーコマンドを受信すると、図示しないエラー表示器により表示すると共に、貸球用の球排出装置１２８の駆動を停止する。
【０１６３】
メイン制御装置１００は、球切れ検出器１８０ａ，１８０ｂが全てオンすると、約１９９９ｍｓ後に、賞品球球切れ防止エラー解除と判別し、賞品球球切れ防止エラー解除コマンドを払出制御装置１０１に送信すると共に球切れランプ６６を消灯する。払出制御装置１０１は賞品球球切れ防止エラー解除コマンドを受信すると、図示しないエラー表示器による表示を消すと共に、賞品球用の球排出装置１２９の駆動を可能とする。
【０１６４】
また、メイン制御装置１００は、球切れ検出器１８０ｃ，１８０ｄが全てオンすると、約１９９９ｍｓ後に、貸球球切れ防止エラー解除と判別し、貸球球切れ防止エラー解除コマンドを払出制御装置１０１に送信すると共に球切れランプ６６を消灯する。払出制御装置１０１は貸球球切れ防止エラー解除コマンドを受信すると、図示しないエラー表示器による表示を消すと共に、貸球用の球排出装置１２８の駆動を可能とする。
【０１６５】
なお、図３０において、メイン制御装置１００と払出制御装置１０１との通信が、メイン制御装置１００から払出制御装置１０１への一方向伝送路としてあるので、払出制御装置１０１からメイン制御装置１００に不正信号が入力されることを防護できる。また、払出制御装置１０１と発射装置駆動部１７５との通信が、払出制御装置１０１から発射装置駆動部１７５への一方向伝送路としてあるので、発射装置側から払出制御装置１０１あるいはメイン制御装置１００に不正信号が入力されることを防護できる。さらに、貸出し検出スイッチ１７３の信号線が払出制御装置に入力されることなく通信インタフェース１７１に接続されているので、貸出し検出スイッチ１７３から払出制御装置１０１に不正信号が入力されることを防護できる。
【０１６６】
上記振分入賞装置２と図柄表示装置４と確率切換制御と制御タイミングと球受回転体１８とのそれぞれによって、またはこれらを組み合せパチンコ遊技機の遊技系を公正したために、従来のパチンコ遊技機に無い新規な趣向を提供することもできる。また、飾りＬＥＤ５４，５５，５６，５７，５９，６２，６３、表示ランプ５８、左右装飾表示装置６０，６１、遊技情報表示器６７、図柄表示部３３，３４を設け、これらの表示制御を特徴化したことにより、従来には無いパチンコ遊技の情報と遊技感をパチンコ遊技機に付与することもできる。
【図面の簡単な説明】
【０１６７】
【図１】実施形態のパチンコ遊技機に配備された遊技盤面の正面図
【図２】振分入賞装置の正面図
【図３】振分入賞装置の側面図
【図４】振分入賞装置の斜視図
【図５】第１入賞装置の斜視図
【図６】第２入賞装置の正面図
【図７】第２入賞装置の裏面図
【図８】第２入賞装置の斜視図
【図９】各表示ランプ及び表示ＬＥＤの配置を示す遊技盤面の正面図
【図１０】各種入賞検出スイッチや各種ソレノイドの配設状態を示す遊技盤の裏面図
【図１１】本実施形態のパチンコ遊技機に配備された制御系統の要部ブロック図
【図１２】図柄表示装置の左図柄表示部において表示される左図柄の種類を示す図
【図１３】図柄表示装置の右図柄表示部において表示される右図柄の種類を示す図
【図１４】図柄表示装置の左図柄、右図柄の図柄変動開始時から振分入賞装置の球受回転体の作動迄のタイミングチャート
【図１５】図柄表示装置における低速変動時の図柄の変動態様を示す図
【図１６】図柄表示装置における高速変動時の図柄の変動態様を示す図
【図１７】図柄表示装置におけるロングリーチ時における左図柄の回転表示態様を示す図
【図１８】図柄表示装置における当り発生に関する確率モードの移行と特別装置の作動との関係を示すタイミングチャート
【図１９】遊技状態の別に対応する各種表示ランプ・ＬＥＤの点灯態様を示す表
【図２０】図１９の表のつづき
【図２１】図２０の表のつづき
【図２２】遊技状態の別に対応する効果音並びに音声の音表示態様を示す表
【図２３】本実施形態のパチンコ遊技機における賞品球の排出機構及び貸球の排出機構を示す遊技機の裏面図
【図２４】球タンク及び補給球誘導レールの拡大平面図
【図２５】図２３における矢視ａ−ａ線方向から眺めて示す拡大側面図
【図２６】貸球用の球排出装置及び賞品球用の球排出装置を構成する球排出装置の正面図
【図２７】図２６の球排出装置の平面図
【図２８】図２６の球排出装置の側面図
【図２９】図２６の球排出装置の分解斜視図
【図３０】実施形態のパチンコ遊技機に配備したパチンコ球の払出し装置の要部ブロック図
【図３１】払出個数設定用テーブルの払出個数データの記憶状態を示す概念図
【図３２】主制御部と払出し制御部とにそれぞれ配備された払出個数データ記憶部における払出個数データの記憶状態を示す概念図
【符号の説明】
【０１６８】
１  遊技盤面
２  振分入賞装置
３  図柄表示ユニット
４  図柄表示装置
５  ゲート
６  左袖下入賞口
７  左落し入賞口
８  第１入賞装置
９  右袖下入賞口
１０  右落し入賞口
１１  第２入賞装置
１２  可変入賞口
１３  上部入球部
１４  左上通過口
１５  右上通過口
１６  図柄作動口
１７  下部入球部
１８  球受回転体
１９  特別装置作動口
２０  右下通過口
２１  取付基板
２２  開閉翼体
２３  作動杆
２４  軸
２５  前面カバー
２６  カバー部
２７  周壁部
２８  落下口
２９  仕切部
３０  振分突起
３１  球受部
３２  球支持部
３３  左図柄表示部
３４  右図柄表示部
３５  装置筐体
３６  取付基板
３７  前面カバー
３８  入賞口
３９  球受回転体
４０  球受凹部
４１  球出口
４２  可動扉
４３  装置筐体
４４  取付基板
４５  突片
４６  大入賞口
４７  球誘導枠
４８  振分片
４９  球出口
５０  球出口
５１  プランジャ
５２  作動杆
５３  戻しバネ
５４  飾りＬＥＤ
５５  飾りＬＥＤ
５６  飾りＬＥＤ
５７  飾りＬＥＤ
５８  表示ランプ
５９  飾りＬＥＤ
６０  左装飾ＬＥＤ装置
６１  右装飾ＬＥＤ装置
６２  飾りＬＥＤ
６３  飾りＬＥＤ
６４  ランプ付き風車
６５  払出しランプ
６６  球切れランプ
６７  遊技情報表示器
６８  球レール
６９  アウト受入口
７０  球誘導樋
７１  球誘導樋
７２  球誘導樋
７３  球誘導樋
７４  球誘導樋
７５  球誘導樋
７６  球誘導樋
７７  スイッチ入力回路
７８  スイッチ入力回路
７９  表示用ドライバ
８０  表示用ドライバ
８１  表示用ドライバ
８２  表示用ドライバ
１００  メイン制御装置
１０１  払出制御装置
１０５  満タン検出器
１０６  球切れ検出器
１１１  基枠
１１２  球タンク
１１３  補給球誘導レール
１１４  開口
１１５  取付角度調整孔
１１６  球誘導樋
１１７  球誘導樋
１１８  球誘導樋
１１９  球誘導樋
１２０  球切れ検出体
１２１  突出部
１２２  球誘導樋
１２３  球誘導樋
１２４  球誘導樋
１２５  球誘導樋
１２６  開口部
１２７  球抜き経路
１２８  球排出装置（貸球用）
１２９  球排出装置（賞品球用）
１３０  球排出樋
１３１  排出球集合樋
１３２  球排出樋
１３３  排出球経路
１３４  隔壁
１３５  排出球経路
１３６  ベル取付部
１３７  作動片
１３８  球排出装置
１４０  球排出樋
１４１  排出球集合樋
１４２  球排出樋
１４３  排出球経路
１４４  隔壁
１４５  排出球経路
１４６  ケース本体
１４７  軸受部材
１４８  軸受カバー部材
１４９  スクリュー
１５０  載置部
１５１  右側壁
１５２  後壁
１５３  駆動軸
１５５  軸部
１５６  スクリュー部
１５７  ソケット
１５８  球誘導路
１５９  球誘導路
１６０  ケース軸受
１６１  スクリュー収納部
１６２  球排出路
１６３  球排出路
１６４  球排出口
１６５  球排出口
１６６  誘導フィン
１６７  誘導フィン
１６８  排出球センサ
１６９  排出球センサ
１７０  払出し可動部
１７１  通信インタフェース
１７２  カードユニット
１７３  貸出し検出スイッチ
１７４  度数表示部
１７５  発射装置駆動部
１７６  発射装置可動部
１７７  第１入賞検出スイッチ
１７８  第２入賞検出スイッチ
１８０ａ〜１８０ｄ  球切れ検出器
１８１  ベル
Ｍ１  球受回転体駆動モータ
Ｍ２  回転体駆動モータ
Ｍ３  球排出駆動モータ
ＳＯＬ１  開放ソレノイド
ＳＯＬ２  開放ソレノイド
ＳＷ１  図柄作動口通過検出スイッチ
ＳＷ２  ゲート通過検出スイッチ
ＳＷ３  特別装置作動口通過検出スイッチ
ＳＷ４  入賞検出スイッチ（６個払出し口用）
ＳＷ５  特別入賞検出スイッチ
ＳＷ６  入賞検出スイッチ（６個払出し口用）
ＳＷ７  入賞検出スイッチ（１３個払出し口用）
ＳＷ８  入賞検出スイッチ（１３個払出し口用）
ＳＷ９  大入賞口入賞検出スイッチ（１３個払出し口）
【図１】
2008188462.tif 000003
【図２】
2008188462.tif 000004
【図３】
2008188462.tif 000005
【図４】
2008188462.tif 000006
【図５】
2008188462.tif 000007
【図６】
2008188462.tif 000008
【図７】
2008188462.tif 000009
【図８】
2008188462.tif 000010
【図９】
2008188462.tif 000011
【図１０】
2008188462.tif 000012
【図１１】
2008188462.tif 000013
【図１２】
2008188462.tif 000014
【図１３】
2008188462.tif 000015
【図１４】
2008188462.tif 000016
【図１５】
2008188462.tif 000017
【図１６】
2008188462.tif 000018
【図１７】
2008188462.tif 000019
【図１８】
2008188462.tif 000020
【図１９】
2008188462.tif 000021
【図２０】
2008188462.tif 000022
【図２１】
2008188462.tif 000023
【図２２】
2008188462.tif 000024
【図２３】
2008188462.tif 000025
【図２４】
2008188462.tif 000026
【図２５】
2008188462.tif 000027
【図２６】
2008188462.tif 000028
【図２７】
2008188462.tif 000029
【図２８】
2008188462.tif 000030
【図２９】
2008188462.tif 000031
【図３０】
2008188462.tif 000032
【図３１】
2008188462.tif 000033
【図３２】
2008188462.tif 000034